【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも1つのチャネル上の送信のためのメッセージを、アクセスポイントにおいて生成するステップであって、前記メッセージが、
第1の信号フィールドの後の第1のメッセージの長さを示す第1の信号フィールド、および
少なくとも1つのチャネル割当てを示し、可変長を有する、第2の信号フィールドを含み、前記第2の信号フィールドが、サービスされる局数および局識別子のリストの1つまたは複数を含み、前記少なくとも1つのチャネル割当てが、局識別子の前記リスト中の各局識別子に対するチャネル割当てを示すビットマップを含む、生成するステップと、
1つまたは複数のワイヤレスデバイスに前記メッセージを送信するステップとを含む、方法。
【請求項２】
前記第1の信号フィールドが、持続時間表示、局識別子に対するサイズ表示、帯域幅表示、基本サービスセットカラー識別情報、アップリンク/ダウンリンクフラグ、巡回冗長検査、およびクリアチャネル評価表示のうちの1つまたは複数を含む、請求項1に記載の方法。
【請求項３】
前記第2の信号フィールドが、ゾーンタイプ、ゾーン帯域幅、および最小割振りサイズのうちの1つまたは複数を含む、請求項1に記載の方法。
【請求項４】
固定された最小割振りサイズを決定するステップをさらに含む、請求項3に記載の方法。
【請求項５】
前記少なくとも1つのチャネル割当てが、局識別子の前記リスト中の少なくとも1つの局識別子に対応する複数の前記最小割振りサイズを含む、請求項3に記載の方法。
【請求項６】
前記少なくとも1つのチャネル割当てが、最後の局識別子を除く、局識別子の前記リスト中の各局識別子に対する複数の前記最小割振りサイズを含む、請求項5に記載の方法。
【請求項７】
前記ビットマップが、ゾーン帯域幅内の各最小割振りに対応する1ビットを含む、請求項1に記載の方法。
【請求項８】
前記ビットマップ中の各セットビットが、局識別子の前記リスト中の対応する局識別子に対して、最小割振りサイズのチャネル割当てを示す、請求項7に記載の方法。
【請求項９】
前記ビットマップ中の各アンセットビットが、前記ビットマップ中の前のビットに対応する局識別子に対して、最小割振りサイズのチャネル割当てを示す、請求項8に記載の方法。
【請求項１０】
前記第1のメッセージが前記第2の信号フィールドである、請求項1に記載の方法。
【請求項１１】
ワイヤレス通信のために構成される装置であって、
少なくとも1つのチャネル上の送信のためのメッセージを生成するように構成されたプロセッサであって、前記メッセージが、
第1の信号フィールドの後の第1のメッセージの長さを示す第1の信号フィールド、および
少なくとも1つのチャネル割当てを示し、可変長を有する、第2の信号フィールドを含み、前記第2の信号フィールドが、サービスされる局数および局識別子のリストの1つまたは複数を含み、前記少なくとも1つのチャネル割当てが、局識別子の前記リスト中の各局識別子に対するチャネル割当てを示すビットマップを含む、プロセッサと、
1つまたは複数のワイヤレスデバイスに前記メッセージを送信するように構成された送信機とを備える、装置。
【請求項１２】
前記第1の信号フィールドが、持続時間表示、局識別子に対するサイズ表示、帯域幅表示、基本サービスセットカラー識別情報、アップリンク/ダウンリンクフラグ、巡回冗長検査、およびクリアチャネル評価表示のうちの1つまたは複数を含む、請求項11に記載の装置。
【請求項１３】
前記第2の信号フィールドが、ゾーンタイプ、ゾーン帯域幅、および最小割振りサイズのうちの1つまたは複数を含む、請求項11に記載の装置。
【請求項１４】
前記プロセッサが、固定された最小割振りサイズを決定するようにさらに構成される、請求項13に記載の装置。
【請求項１５】
前記少なくとも1つのチャネル割当てが、局識別子の前記リスト中の少なくとも1つの局識別子に対応する複数の前記最小割振りサイズを含む、請求項13に記載の装置。
【請求項１６】
前記少なくとも1つのチャネル割当てが、最後の局識別子を除く、局識別子の前記リスト中の各局識別子に対する複数の前記最小割振りサイズを含む、請求項15に記載の装置。
【請求項１７】
前記ビットマップが、ゾーン帯域幅内の各最小割振りに対応する1ビットを含む、請求項11に記載の装置。
【請求項１８】
前記ビットマップ中の各セットビットが、局識別子の前記リスト中の対応する局識別子に対して、最小割振りサイズのチャネル割当てを示す、請求項17に記載の装置。
【請求項１９】
前記ビットマップ中の各アンセットビットが、前記ビットマップ中の前のビットに対応する局識別子に対して、最小割振りサイズのチャネル割当てを示す、請求項18に記載の装置。
【請求項２０】
ワイヤレス通信のための装置であって、
少なくとも1つのチャネル上の送信のためのメッセージを生成するための手段であって、前記メッセージが、
第1の信号フィールドの後の第1のメッセージの長さを示す第1の信号フィールド、および
少なくとも1つのチャネル割当てを示し、可変長を有する、第2の信号フィールドを含み、前記第2の信号フィールドが、サービスされる局数および局識別子のリストの1つまたは複数を含み、前記少なくとも1つのチャネル割当てが、局識別子の前記リスト中の各局識別子に対するチャネル割当てを示すビットマップを含む、生成するための手段と、
1つまたは複数のワイヤレスデバイスに前記メッセージを送信するための手段とを含む、装置。
【請求項２１】
前記第1の信号フィールドが、持続時間表示、局識別子に対するサイズ表示、帯域幅表示、基本サービスセットカラー識別情報、アップリンク/ダウンリンクフラグ、巡回冗長検査、およびクリアチャネル評価表示のうちの1つまたは複数を含む、請求項20に記載の装置。
【請求項２２】
前記第2の信号フィールドが、ゾーンタイプ、ゾーン帯域幅、および最小割振りサイズのうちの1つまたは複数を含む、請求項20に記載の装置。
【請求項２３】
固定された最小割振りサイズを決定するための手段をさらに含む、請求項22に記載の装置。
【請求項２４】
前記少なくとも1つのチャネル割当てが、局識別子の前記リスト中の少なくとも1つの局識別子に対応する複数の前記最小割振りサイズを含む、請求項22に記載の装置。
【請求項２５】
前記少なくとも1つのチャネル割当てが、最後の局識別子を除く、局識別子の前記リスト中の各局識別子に対する複数の前記最小割振りサイズを含む、請求項24に記載の装置。
【請求項２６】
前記ビットマップが、ゾーン帯域幅内の各最小割振りに対応する1ビットを含む、請求項20に記載の装置。
【請求項２７】
前記ビットマップ中の各セットビットが、局識別子の前記リスト中の対応する局識別子に対して、最小割振りサイズのチャネル割当てを示す、請求項26に記載の装置。
【請求項２８】
コードを含む非一時的コンピュータ可読媒体であって、前記コードが、実行されたときに装置に、
少なくとも1つのチャネル上の送信のためのメッセージを生成することであって、前記メッセージが、
第1の信号フィールドの後の第1のメッセージの長さを示す第1の信号フィールド、および
少なくとも1つのチャネル割当てを示し、可変長を有する、第2の信号フィールドを含み、前記第2の信号フィールドが、サービスされる局数および局識別子のリストの1つまたは複数を含み、前記少なくとも1つのチャネル割当てが、局識別子の前記リスト中の各局識別子に対するチャネル割当てを示すビットマップを含む、生成することと、
1つまたは複数のワイヤレスデバイスに前記メッセージを送信することとを行わせる、非一時的コンピュータ可読媒体。